(57)【要約】【課題】簡単に連結でき且つ迅速に取り外すことの出来る養生部材を提供する。【解決手段】本発明に係る養生部材１は、少なくとも第１ボード２１と第１ボード２１より狭い第２ボード２２とが積層されて成り、第１ボード２１が第２ボード２２の側縁から延出する延出部２１１、２１２を有するとともに、延出部２１１、２１２の積層面側に粘着部３１、３２が設けられている。【選択図】図１
2019019622.tif 000002
【特許請求の範囲】
【請求項１】
少なくとも第１ボードと前記第１ボードより狭い第２ボードとが積層されて成り、
前記第１ボードが前記第２ボードの側縁から延出する延出部を有するとともに、該延出部の積層面側に粘着部が設けられていることを特徴とする養生部材。
【請求項２】
前記第１ボード及び前記第２ボードは、矩形状であることを特徴とする請求項１に記載の養生部材。
【請求項３】
前記延出部は、前記第２ボードの相対する２つの側縁から延出していることを特徴とする請求項２に記載の養生部材。
【請求項４】
前記第１ボード及び前記第２ボードが紙製であることを特徴とする請求項１から請求項３のいずれか一項に記載の養生部材。
【請求項５】
前記第１ボード及び前記第２ボードに折り線加工が施されていることを特徴とする請求項１から請求項４のいずれか一項に記載の養生部材。
【請求項６】
請求項３に記載の養生部材を複数枚用いて床面を養生する床面の養生方法であって、
一の前記養生部材の前記相対する２つの側縁のうち一方の側縁に沿う方向に、他の前記養生部材を隣接させて配置する工程と、
前記配置する工程において、前記一の前記養生部材における前記延出部と、前記他の前記養生部材の前記延出部とを重ねる工程と
を備えることを特徴とする養生方法。
【請求項７】
前記一の前記養生部材の前記相対する２つの側縁のうち他方の側縁に沿う方向に、更に他の前記養生部材を隣接させて配置する第２工程と、
前記配置する第２工程において、前記一の前記養生部材における他の前記延出部と、前記更に他の前記養生部材の前記延出部とを重ねる工程と
を更に備えることを特徴とする請求項６に記載の養生方法。
【発明の詳細な説明】
【技術分野】
【０００１】
本発明は、主に床面を保護するための養生部材及びそれを用いた養生方法に関する。
【背景技術】
【０００２】
従来、引越し等の作業中に、床、壁面、天井等が傷ついたり、汚れたりしないように養生部材（例えば、養生シート、養生ボード）でそれらを覆って保護することが広く行われている。養生の際、作業中に養生シートが個々に移動しないように、粘着テープによって複数の養生シートを連結して固定する作業が必要になる。養生シートを取り外す段階になると、粘着テープを養生シートから剥がす作業が生じる。これらの作業は、手間がかかる場合があり、剥がした粘着テープを別途廃棄することも必要となってくる。そこで、養生シートの裏面側に粘着層を設け、その粘着層を養生シートの表面側に接着して連結することで、粘着テープを用いずに、養生シートの連結配置を図ったものが、例えば、特許文献１に開示されている。
【先行技術文献】
【特許文献】
【０００３】
【特許文献１】特開２０１６−２１１２４５号公報
【特許文献２】特許第５７１５３１７号公報
【発明の概要】
【発明が解決しようとする課題】
【０００４】
特許文献１に記載の養生シートでは、床面上に連結配置した場合、引越しの作業者等がその連結部分の上を歩いたり走ったりすると、当該連結部分の出っ張り部分で躓く危険性があったり、当該出っ張り部分を蹴ること等により、養生シートの連結が解かれてしまい、保護していた床面が露出して汚損されるおそれがあった。そこで、２枚の板紙を積層して成す養生ボードの、一方の板紙に延出部、他方の板紙に引け部を設け、その延出部及び引け部の積層面側に粘着層を形成することで、その延出部と引け部との連結部分をフラットにしようとしたものが、特許文献２に開示されている。しかしながら、特許文献２に記載の養生ボードでは、或る養生ボードを取り外す際に、その養生ボードの延出部が周辺の養生ボードの引け部に引っ掛かって取り外す際に妨げになり、その妨げになる周辺の養生ボードを取り外そうとすると、今度は、それらの周辺の養生ボードが、取り外す際の妨げになるなど、１枚の養生ボードを取り外すためだけに、多くの枚数の養生ボードを取り外す必要があり手間になる可能性がある。
【０００５】
本発明の目的は、簡単に連結でき且つ迅速に取り外すことの出来る養生部材を提供することにある。
【課題を解決するための手段】
【０００６】
本発明による養生部材は、少なくとも第１ボードと前記第１ボードより狭い第２ボードとが積層されて成り、前記第１ボードが前記第２ボードの側縁から延出する延出部を有するとともに、該延出部の積層面側に粘着部が設けられていることを特徴とするものである。
【０００７】
本発明による養生方法は、本発明による養生部材を複数枚用いて床面を養生する床面の養生方法であって、一の前記養生部材の相対する２つの側縁のうち一方の側縁に沿う方向に、他の前記養生部材を隣接させて配置する工程と、前記配置する工程において、前記一の前記養生部材における前記延出部と、前記他の前記養生部材の前記延出部とを重ねる工程とを備えることを特徴とするものである。
【発明の効果】
【０００８】
本発明によれば、養生部材の第１ボードが、当該第１ボードより狭い第２ボードの側縁から延出する延出部を有し、その延出部に粘着部が設けられているので、複数の当該養生部材を表と裏を交互にして連結配置することが出来、養生部材を連結させるための粘着テープが不要となるため、養生部材を簡単に連結させることが可能となる。また、養生部材を取り外す際には、その周辺の養生部材が妨げになり難くなる結果、養生部材を迅速に取り外すことが可能となる。
【図面の簡単な説明】
【０００９】
【図１】本発明の第１実施形態に係る養生部材を示す模式的な図であり、（ａ）は平面図、（ｂ）は（ａ）のＩｂ−Ｉｂ方向の断面図、（ｃ）は（ａ）のＩｃ部分の詳細図である。
【図２】本発明の第１実施形態に係る、養生部材を複数枚用いた床面の養生、及び養生部材の取り外しを説明するための模式的な図であり、（ａ）は複数配置した養生部材の平面図、（ｂ）は（ａ）のＩＩｂ−ＩＩｂ方向の断面図である。
【図３】本発明の第２実施形態に係る養生部材を示す模式的な図であり、（ａ）は平面図、（ｂ）は（ａ）のＩＩＩｂ−ＩＩＩｂ方向の断面図である。
【図４】本発明の第１実施形態及び第２実施形態に係る養生部材を用いた養生の例を示す図である。
【発明を実施するための形態】
【００１０】
以下、図１から図４を参照しながら本発明を実施するための形態を詳細に説明する。ただし、本発明は本実施形態の態様に限定されるものではない。
【００１１】
＜第１実施形態＞  
図１は、本発明の第１実施形態に係る養生部材を示す模式的な図であり、図１（ａ）は平面図、図１（ｂ）は図１（ａ）のＩｂ−Ｉｂ方向の断面図、図１（ｃ）は図１（ａ）のＩｃ部分の詳細図である。
【００１２】
養生部材１は、第１ボード２１と第１ボード２１より狭い第２ボード２２とで少なくとも構成される。本実施形態では、第１ボード２１は、第２ボード２２に対して、長手方向の長さが等しく、短手方向の長さが長くなっている。また、養生部材１は、養生ボードであり、上面視において、全体の外観として矩形状であり、矩形状の第１ボード２１上に矩形状の第２ボード２２を積層して成る。養生ボード１には、図１（ｂ）に示す断面視で、短手方向の両端部に段差がそれぞれ形成されており、その段差は、後述する延出部に相当する。第２ボード２２の端縁は、第１ボード２１の端縁と重なるか、または、第１ボード２１の端縁より内側にある。本実施形態では、第２ボード２２の長手方向端縁は、第１ボード２１の長手方向端縁と重なっており、第２ボード２２の短手方向端縁（後述する第１側縁Ｌ１および第２側縁Ｌ２）は、第１ボード２１の短手方向端縁より内側にある。この構成により、連結配置した養生ボード１の迅速な取り外しが実現可能となる（後述する養生ボードの取り外し方法の説明を参照）。第１ボード２１及び第２ボード２２には紙（耐水紙管原紙、圧縮紙等）、合成樹脂（中空軽量板、発泡板等）等各種素材を用いることができるが、環境保護の観点や使用後に廃棄しやすい点から、紙製とすることが望ましい。本実施形態では、養生ボード１の第１ボード２１側及び第２ボード２２側の全面（すなわち、養生ボード１の両面）には、図１（ｃ）に示すように、たわみ（反り）防止のため、枡目状に罫線４が施されている。罫線４の加工は、例えば、ボードに細い押し込み線を入れることを指す。また、罫線４により折れやすくなるため、養生ボード１を曲面に沿って配置することも可能である。本発明では、養生ボード１の片面のみ（つまり、第１ボード２１及び第２ボード２２のどちらか一方）に罫線４が施された態様や、罫線４を設けない態様も許容するものである。
【００１３】
第１ボード２１は、第２ボード２２の相対する２つの側縁（側辺）である第１側縁Ｌ１、第２側縁Ｌ２からそれぞれ延出する第１延出部２１１、第２延出部２１２を有する。つまり、第１延出部２１１は第２ボード２２の第１側縁Ｌ１から延出しており、第２延出部２１２は第２ボード２２の第２側縁Ｌ２から延出している。また、図１（ａ）に示すように、第１延出部２１１の積層面側には第１粘着部３１が設けられており、第２延出部２１２の積層面側には第２粘着部３２が設けられている。第１粘着部３１及び第２粘着部３２は、他の養生ボード１の粘着部と接着させて他の養生ボード１と連結させるためのものである。本実施形態では、第１粘着部３１及び第２粘着部３２は、第１延出部２１１及び第２延出部２１２の積層面側の全面に、自己粘着接着剤（感圧接着剤）を塗布することで形成される。尚、本発明ではこれに限られず、第１延出部２１１及び第２延出部２１２の積層面側の一部に粘着部が設けられても良い。自己粘着接着剤には、公知のものを使用すればよく、例えば、塗布状態では接着力が殆ど無いか非常に弱く、双方の接着面を合わせて圧力を加えたときに比較的強い接着力を発揮するもの、例えば、ゴム系、エマルジョン系等の接着剤が用いられる。この構成により、自己粘着接着剤を塗布した部分同士が、マジックテープ（登録商標）のように付き剥がし出来るため、合わせ目に使用して留めていた粘着テープが不要となる。尚、本発明では、第１延出部２１１及び第２延出部２１２の積層面側に、自己粘着接着剤以外の接着剤を塗布しても良い。
【００１４】
本実施形態では、養生ボード１の第１ボード２１及び第２ボード２２に折り線加工が施されており、折り線５が形成されている。この構成により、両ボードを重ねた養生ボード１は、その箇所で折り畳むことが可能となり、運搬、保管等の効率が良くなる。折り線加工は、例えば、そのボードを完全に、又はほぼ完全に切断するような深さの切り込み線を入れることを指す。折り線５は、養生ボード１の幅方向に沿って延在しており、養生ボード１を上下に等しく区分するように配置されている。本発明では、運搬、保管等の効率が良くなる限り、養生ボード１のどの部分にどのように折り線５を形成してもよい。また、折り線５を設けない態様も許容するものである。
【００１５】
＜養生ボードを用いた養生及び養生ボードの取り外し＞  
図２は、本発明の第１実施形態に係る、養生ボードを複数枚用いた床面の養生、及び養生ボードの取り外しを説明するための模式的な図であり、図２（ａ）は複数配置した養生ボードの平面図、図２（ｂ）は図２（ａ）のＩＩｂ−ＩＩｂ方向の断面図である。ここでは、４枚の養生ボード１を用い、説明の便宜上、４枚の養生ボードはそれぞれ１−１、１−２、１−３、１−４として表す。
【００１６】
＜養生ボードを用いた養生＞  
４枚の養生ボード１−１、１−２、１−３、１−４は、図２（ａ）に示すように、表裏を逆にして、延出部の粘着部を介して４列連結され床面に敷かれる。  
（工程１）先ず、一の養生ボード１−１の相対する２つの第１側縁Ｌ１、第２側縁Ｌ２のうち一方の第１側縁Ｌ１に沿う方向に、他の養生ボード１−２を隣接させて床面に配置する。この際、一の養生ボード１−１の表裏に対して他の養生ボード１−２の表裏を逆にする。その結果、図２（ａ）の上面側を表とすると、一の養生ボード１−１の表側は第２ボード２２となり、他の養生ボード１−２の表側は第１ボード２１となる。  
（工程２）上記配置する工程１において、一の養生ボード１−１における第１延出部２１１と、他の養生ボード１−２の第１延出部２１１とを重ねる。双方の第１延出部２１１には、第１粘着部３１がそれぞれ設けられているので、双方の第１延出部２１１は互いに接着され、一の養生ボード１−１と他の養生ボード１−２とは連結されることになる。  
（工程３）その後、一の養生ボード１−１の相対する２つの第１側縁Ｌ１、第２側縁Ｌ２のうち他方の第２側縁Ｌ２に沿う方向に、更に他の養生ボード１−３を隣接させて配置する。この際、一の養生ボード１−１の表裏に対して、更に他の養生ボード１−３の表裏を逆にする。その結果、図２（ａ）の上面側を表とすると、更に他の養生ボード１−３の表側は第１ボード２１となる。  
（工程４）上記配置する工程３において、一の養生ボード１−１における他の第２延出部２１２と、更に他の養生ボード１−３の第２延出部２１２とを重ねる。双方の第２延出部２１２には、第２粘着部３２がそれぞれ設けられているので、双方の第２延出部２１２は互いに接着され、一の養生ボード１−１と更に他の養生ボード１−３とは連結されることになる。  
（工程５）残りの養生ボード１−４についても、図２（ａ）に示すように、上述した工程３及び工程４と同様に、他の養生ボード１−２に隣接するように配置される。その結果、図２（ａ）の上面側を表とすると、残りの養生ボード１−４の表側は第２ボード２２となる。
【００１７】
＜養生ボードの取り外し＞  
養生後、例えば、汚れた養生ボード１単体を交換する場合には、その養生ボード１を取り外すことになる。
【００１８】
＜第１ボード２１を表にして敷かれた養生ボード１−２を取り外す場合＞  
他の養生ボード１−２の第１延出部２１１と一の養生ボード１−１の第１延出部２１１との接着を剥がし、他の養生ボード１−２の第２延出部２１２と残りの養生ボード１−４の第２延出部２１２との接着を剥がすことで、他の養生ボード１−２が取り外し可能になる。このように、他の養生ボード１−２の第１延出部２１１及び第２延出部２１２が、周辺の一の養生ボード１−１、残りの養生ボード１−４に引っ掛かることがなくなるため、迅速な取り外し作業を実現出来る。
【００１９】
＜第２ボード２２を表にして敷かれた養生ボード１−１を取り外す場合＞  
先ず、前述のように、他の養生ボード１−２を取り外す。そして、更に他の養生ボード１−３の第２延出部２１２と一の養生ボード１−１の第２延出部２１２との接着を剥がして、更に他の養生ボード１−３を取り外すことで、一の養生ボード１−１が取り外し可能になる。このように、一の養生ボード１−１を取り外す際に、隣接する２枚の養生ボード１、つまり、他の養生ボード１−２、更に他の養生ボード１−３さえ取り外せば、その一の養生ボード１−１の第１延出部２１１及び第２延出部２１２が周辺の養生ボード１に引っ掛かることがなくなるため、迅速な取り外し作業を実現出来る。なお、本実施形態に係る養生ボードの表裏については、第１ボード２１の寸法と第２ボード２２の寸法とが明確に違っていた場合、取り外し作業者にとって、表面・裏面（面の識別）が明白であるので、取り外し作業が容易となる。本発明では、さらに、養生ボード１の表と裏がより明確にわかるように、養生ボード１の第１ボード２１及び／又は第２ボード２２に、表裏を示唆する文字、図形、記号、又は、これらを組み合わせたものを印刷等で表示してもよい。この構成により、養生ボード１の取り外しに掛かる時間を短縮させることが可能となる。
【００２０】
従来、引越し等作業中に、床、壁面、天井等が傷ついたり、汚れたりしないように、養生シート等の養生部材で養生したり、その養生部材を取り外したりする際、養生部材の連結のために粘着テープを貼る手間や、粘着テープを養生部材から剥がす手間が掛かる場合があった。それらの手間を軽減するために、養生シートの裏面側に粘着層を設け、その粘着層を養生シートの表面側に接着して連結することで、粘着テープを用いずに、養生シートの連結配置を図ったものが、例えば、特許文献１に開示されている。
【００２１】
しかしながら、特許文献１に記載の養生シートでは、連結部分の出っ張り部分で躓く危険性があったり、当該出っ張り部分を蹴ること等により、養生シートの連結が解かれて保護対象が露出して汚損されるおそれがあった。そこで、連結部分をフラットにするため、２枚の板紙を積層して成す養生ボードの、一方の板紙に延出部、他方の板紙に引け部を設け、その延出部及び引け部の積層面側に粘着層を形成したものが、特許文献２に開示されている。しかしながら、特許文献２に記載の養生ボードでは、或る一枚の養生ボードを取り外す際に、多くの枚数の養生ボードの延出部又は引け部が妨げになって、養生ボードを取り外す作業に時間が掛かる可能性がある。
【００２２】
本実施形態によれば、複数の養生ボード１を連結配置する場合に、養生ボード１を連結させるための粘着テープが不要となるため、養生ボード１を簡単に連結させることが可能となる。また、養生ボード１を取り外す際には、その周辺の養生ボード１が妨げになり難くなる結果、養生ボード１を迅速に取り外すことが可能となる。
【００２３】
また、複数の養生ボード１を連結配置する際に、表と裏が交互になり、延出部同士が重なり合う合わせ目の隙間を少なくすることが出来るため、ゴミや塵埃等が侵入することが抑制され、保護対象が汚染されることを抑止することが可能となる。
【００２４】
さらに、複数の養生ボード１の連結部分がフラットな状態になるので、その連結部分の上を歩く人（或るいは走る人）が躓く危険性を低減させ、当該連結部分を蹴ること等により養生ボード１の連結が解かれて保護対象が露出して汚損される可能性を低減させることが可能となる。
【００２５】
本実施形態では、第１ボード２１について、長さは１７００ｍｍ、幅は７２０ｍｍであり、第２ボード２２について、長さは１７００ｍｍ、幅は６６０ｍｍである。また、第１ボード２１及び第２ボード２２について、坪量はそれぞれ５２０ｇ／ｍ2であり、厚みはそれぞれ０．８ｍｍである。そして、延出部の幅は３０ｍｍである。尚、本発明ではこの寸法、坪量、厚みに限られず、本発明の効果を奏する限りにおいて様々なものが採用されうる。
【００２６】
＜製造方法＞  
第１実施形態の養生ボード１の製造方法の一例を説明する。第１ボード２１及び第２ボード２２の原料となる厚さ０．８ｍｍの耐水紙のロールは、それぞれの原紙掛けに取り付けられるが、両者は、第１延出部２１１及び第２延出部２１２が形成されるように取り付けられる。第１ボード２１及び第２ボード２２は同じ方向に平行に引き出される。その後、第１ボード２１及び第２ボード２２は両側部がスリッターでそれぞれ切り揃えられる。糊ロールにより第２ボード２２の片面に糊が塗布され、その直後に第１ボード２１及び第２ボード２２はプレスコンベアに挟まれて加圧貼合される。プレスコンベアを出た貼合紙はカッターで所定の長さにカットされ、これにより養生ボード１が完成する。次々とカットされた養生ボード１は、スタッカー上に積み重ねられてゆく。
スタッカー上に所定枚数の養生ボード１が重ねられた後、それらは罫線・折り線導入工程に送られ、横罫線ローラ、半切りローラ及び縦罫線ローラにより罫線４及び折り線５が導入される。
【００２７】
罫線４及び折り線５が導入された養生ボード１は、接着剤塗布工程に流され、そこで接着剤塗布ロールにより両側部の第１延出部２１１及び第２延出部２１２に自己粘着接着剤が塗布され、完成する。
【００２８】
＜第２実施形態＞  
本発明の第２実施形態では、第１実施形態と異なり、養生ボードの１つの側縁にのみ延出部を設ける。この構成により、第１実施形態と同様に、養生ボードを簡単に連結させ且つ迅速に取り外すことが可能となる。
【００２９】
図３は、本発明の第２実施形態に係る養生ボード１’を示す模式的な図であり、図３（ａ）は平面図、図３（ｂ）は図３（ａ）のＩＩＩｂ−ＩＩＩｂ方向の断面図である。本実施形態に係る養生ボード１’を構成する各要素のうち、同様の機能を有するものについては、第１実施形態と同一の符号を付してその説明を省略する。
【００３０】
養生ボード１’は、第１実施形態と同様に、矩形状の第１ボード２１と第１ボード２１より狭い矩形状の第２ボード２２とで少なくとも構成される。本実施形態では、第１ボード２１は、第２ボード２２に対して、長手方向の長さが等しく、短手方向の長さが長くなっている。また、養生ボード１’は、上面視において、全体の外観として矩形状であり、矩形状の第１ボード２１上に矩形状の第２ボード２２を積層して成る。養生ボード１’には、図３（ｂ）に示す断面視において、短手方向の一方端部に段差が形成されており、その段差は、後述する第１延出部２１１に相当する。本実施形態では、第２ボード２２の長手方向端縁は、第１ボード２１の長手方向端縁と重なっており、第２ボード２２の短手方向端縁の一方（後述する第１側縁Ｌ１）は、第１ボード２１の短手方向端縁より内側にあり、第２ボード２２の短手方向端縁の他方は、第１ボード２１の短手方向端縁と重なっている。この構成により、第１実施形態と同様に、連結配置した養生ボード１’の迅速な取り外しが実現可能となる（上述した養生ボードの取り外し方法の説明を参照）。本実施形態においても、第１実施形態と同様に、養生ボード１’の 第１ボード２１側及び第２ボード２２側の全面（すなわち、養生ボード１’の両面）には、図１（ｃ）に示すように、反り防止のため、罫線４が施されている。本発明では、養生ボード１’の片面のみに罫線４が施された態様や、罫線４を設けない態様も許容するものである。
【００３１】
第１ボード２１は、第２ボード２２の１つの第１側縁Ｌ１から延出する第１延出部２１１のみ有する。つまり、第１延出部２１１は、第２ボード２２の第１側縁Ｌ１から延出している。
【００３２】
本実施形態によれば、第１実施形態と同様に、養生ボード１’を簡単に連結させ且つ迅速に取り外すことが可能となる。また、第１実施形態と同様に、保護対象が汚染されることが抑止され、連結部分の上を歩く人（或るいは走る人）が躓く危険性を低減させ、当該連結部分を蹴ること等により養生ボード１’の連結が解かれて保護対象が露出して汚損される可能性を低減させることが可能となる。
【００３３】
本実施形態では、第１ボード２１について、長さは１７００ｍｍ、幅は５９０ｍｍであり、第２ボード２２について、長さは１７００ｍｍ、幅は５６０ｍｍである。本実施形態における第１ボード２１及び第２ボード２２の坪量、厚み、延出部の幅については第１実施形態と同様である。
【００３４】
＜第１実施形態及び第２実施形態に係る養生ボードを用いた養生＞  
図４は、本発明の第１実施形態及び第２実施形態に係る養生ボードを用いて、略６畳の部屋の床面を養生した例を示す図である。ここでは、本発明の第１実施形態に係る養生ボードについて、図１（ａ）及び図１（ｂ）で説明したものを１Ａ、そして、長手方向において１Ａより短いもの（第１ボード２１については長さ８７５ｍｍ、幅７２０ｍｍ、第２ボード２２については長さ８７５ｍｍ、幅６６０ｍｍ）を１Ｂとする。また、本発明の第２実施形態に係る養生ボードについて、図３（ａ）及び図３（ｂ）で説明したものを１’Ａ、そして、長手方向において１’Ａより短いもの（第１ボード２１については長さ８７５ｍｍ、幅５９０ｍｍ、第２ボード２２については長さ８７５ｍｍ、幅５６０ｍｍ）を１’Ｂとする。
【００３５】
養生ボード１Ａ及び養生ボード１Ｂについては、図４に示すように、養生ボード１Ａと養生ボード１Ｂとを長手方向に並べたものを、上下を反転して表裏を逆にして、第１延出部２１１の第１粘着部３１同士を接着し、第２延出部２１２の第２粘着部３２同士を接着して、短手方向に沿って４列連結している。その連結したものに、養生ボード１’Ａと養生ボード１’Ｂとを長手方向に並べたものを、第１延出部２１１の第１粘着部３１同士を接着して連結している。
【００３６】
この配置構成により、第１実施形態及び第２実施形態と同様の効果が得られるほか、粘着部を介して連結する部分以外の、粘着部を介さない部分においても突き合わされた状態になるので、隙間が生じにくく、ゴミや塵埃等が入りにくいことになり、床等の養生したところを汚染から有効に保護することが可能になる。
【００３７】
＜その他＞  
本発明は、上述した各実施形態や、随所に述べた変形例に限られることなく、本発明の技術的思想から逸脱しない範囲で、適宜の変更や変形が可能である。
【００３８】
例えば、上記各実施形態又はその変形例に係る養生部材は、養生ボードであるが、より柔軟性を有する養生シートなどの養生部材にも適用可能である。
【００３９】
加えて、上記各実施形態又はその変形例に係る養生ボードの保護対象に対向する面側（つまり両面側）には、保護対象に対して養生ボードが滑らないように、エンボスロールによりエンボス加工が施されてもよい。また、上記各実施形態又はその変形例に係る養生ボードの両面側には、養生ボードに対してその上を通る人が滑らないように、防滑処理が施されてもよい。
【００４０】
さらに、上記各実施形態又はその変形例に係る養生ボードは、矩形状の第１ボード２１と矩形状の第２ボード２２とを積層して成り、全体として矩形状を有するものであるが、第１ボード２１及び第２ボード２２の形状は、矩形以外の図形、例えば、正方形、平行四辺形等の多角形のものや、曲線を含む図形であってもよい。第１ボード２１及び第２ボード２２の形状が平行四辺形であった場合、これらを積層して成った養生ボードは、階段の壁面に貼るのに最適なものになる。また、上記各実施形態又はその変形例に係る養生ボードでは、１つ又は２つの延出部（及び粘着部）が設けられるが、本発明では、本発明の効果を奏する限りにおいて、３以上の延出部（及び粘着部）が設けられる態様も許容するものである。
【００４１】
上記各実施形態又はその変形例に係る養生ボードは、２層構造であるが、これ以外の構造、例えば、３層以上の構造であってもよい。さらに、上記各実施形態又はその変形例に係る養生ボードの第１ボード２１は、一枚ものである必要はなく、互いに接続可能である少なくとも第１ボード片及び第２ボード片から構成され得、その第１ボード片は、第１延出部２１１又は第２延出部２１２であってもよい。上記各実施形態又はその変形例に係る養生ボードの粘着部には、粘着力が弱くならないように保護するための剥離紙を付してもよい。連結する際は、この剥離紙を剥いで養生ボードの粘着部同士を接着させる。
【００４２】
上記各実施形態又はその変形例に係る養生ボードは、床面だけでなく、壁面、天井等、当該養生ボードで養生可能なあらゆるものの養生に用いられうる。この場合においても、養生ボードを簡単に連結でき且つ迅速に取り外すことが出来る。
【符号の説明】
【００４３】
Ｌ１  第１側縁
Ｌ２  第２側縁
１、１−１、１−２、１−３、１−４、１’ 、１Ａ、１’Ａ 、１Ｂ、１’Ｂ  養生ボード（養生部材）
２１  第１ボード
２２  第２ボード
２１１  第１延出部
２１２  第２延出部
３１  第１粘着部
３２  第２粘着部
４  罫線
５  折り線
【図１】
2019019622.tif 000003
【図２】
2019019622.tif 000004
【図３】
2019019622.tif 000005
【図４】
2019019622.tif 000006